(57)【要約】【課題】切妻屋根を有する小規模な構造体を搬送時の高さ制限を回避できるようにユニット化しつつ、屋根部分をパターン化して効率良く組立てて行くことのできる切妻屋根部の屋根構造を提供する。【解決手段】断面が二等辺三角形状の屋根上部１３と、屋根上部１３の下端部から屋根勾配に沿って斜め下方に延設する桁下り部１４とを備え、屋根取付ユニット１５に設置される切妻屋根部２０の屋根構造１０であって、屋根取付ユニット１５の天端部には、横方向に延設して屋根上部１３の下方に配置される上部支持部材１６が設けられており、この上部支持部材１６に支持させて、上部妻小壁１７と棟木２８と母屋３０とを含む上部骨組体４０を設置し、桁下り部１４の下端部が載置される下端桁部材１８と、上部骨組体４０とに支持させて、屋根パネル１９が、屋根上部１３と桁下り部１４とに跨ってくの字形状に設けられる。【選択図】        図３
2004257116.tif 000002
【特許請求の範囲】
【請求項１】
断面が二等辺三角形状の屋根上部と、該屋根上部の少なくとも一方の下端部から屋根勾配に沿って斜め下方に延設する桁下り部とを備え、屋根取付ユニットに設置される切妻屋根部の屋根構造であって、
前記屋根取付ユニットの天端部には、横方向に延設して前記屋根上部の下方に配置される上部支持部材が設けられており、
該上部支持部材に支持させて、二等辺三角形状の上部妻小壁と棟木と母屋とを含む上部骨組体を前記屋根上部に設置し、
前記桁下り部の下端部が載置される下端桁部材と、前記上部骨組体とに支持させて、屋根面を形成する屋根パネルが、前記屋根上部と桁下り部とに跨ってくの字形状に設けられる切妻屋根部の屋根構造。
【請求項２】
前記屋根取付ユニットは、塔屋ユニットである請求項１記載の切妻屋根部の屋根構造。
【発明の詳細な説明】
【０００１】
【発明の属する技術分野】
本発明は、切妻屋根部の屋根構造に関し、特に断面が二等辺三角形状の屋根上部と、該屋根上部の下端部から屋根勾配に沿って斜め下方に延設する桁下り部とを備える切妻屋根部の屋根構造に関する。
【０００２】
【従来の技術】
住宅の屋根部分は、斜めに傾斜する屋根面を有していることから、一般に直方体形状に形成される上面が平坦な居室部分の住宅ユニットとは異なり、これをユニット化する際には、屋根部分の複雑な形状を分割した複数種類のユニットが用いられる。また、屋根部分のユニットは、傾斜する屋根面を備えることによりその高さが高くなる場合には、当該ユニットをトラック等に積み込んで搬送する際の高さ制限を回避できるように、所定の高さで上部を切断した形状に形成し、当該切断した部分を別途施工現場で組立てるようにしている。
【０００３】
一方、屋根を有する構造体として、例えば住宅の屋上に設置されて階段室や機械室を形成する塔屋（ペントハウス）や、その他の屋根を有する小規模な構造体は、住宅の本体部分とは異なる付随的な部分であるため、所定のモジュールに規格化することにより、効率良く組立てて設置することができるものと考えられる。またこれらの小規模な構造物は、ユニット化して予め工場生産することにより、さらに効率良く設置することが可能になる（例えば、特許文献１、特許文献２参照）。
【０００４】
【特許文献１】
特開平５−２５５９７０号公報
【特許文献２】
特開２００１−２２７０９５号公報
【０００５】
【発明が解決しようとする課題】
塔屋等の屋根を有する小規模な構造体は、屋根面を平坦にして直方体形状のユニットとして規格化することが好ましいが、住宅によっては、斜線制限や屋根部分のデザイン等との関係から、その屋根形状を、傾斜面を有する形状とする場合が多く、特に屋根上部の断面が二等辺三角形状となった切妻屋根が一般的に採用される。
【０００６】
切妻屋根を有する塔屋等の小規模な構造体をユニット化して予め工場等で形成する場合、傾斜する屋根面の上部が相当の高さに配置されると、ユニットをトラック等に積み込んで建築施工現場まで搬送する際の高さ制限を越えることになる。このため、従来の技術によれば、高さ制限を越ない高さに切断した形状でユニットを形成し、これを住宅の建築施工現場に設置した後に、高さ制限を超える屋根上部をその都度施工現場で組み立てる構造が採用されていた。
【０００７】
しかしながら、高さ制限を超える屋根上部をその都度施工現場で組み立てるようにした屋根構造では、塔屋等の小規模な構造体をユニット化しても、その利点が十分に生かされず、さらに効率良く施工できるようにするには、切り取った屋根上部の施工もパターン化して行えるようにすることが望まれる。また切妻屋根は、その上部に断面が二等辺三角形状の部分を備えているのが通常であるため、この二等辺三角形状の屋根上部を基準とすることにより、例えば傾斜面の長さ等が異なる種々の仕様に対応させて、切妻屋根部のパターン化を容易に図ることが可能になるものと考えられる。
【０００８】
本発明は、このような従来の課題に着目してなされたものであり、切妻屋根を有する小規模な構造体を搬送時の高さ制限を回避できるようにユニット化しつつ、屋根部分をパターン化して効率良く組立てて行くことのできる切妻屋根部の屋根構造を提供することを目的とする。
【０００９】
【課題を解決するための手段】
本発明は、断面が二等辺三角形状の屋根上部と、該屋根上部の少なくとも一方の下端部から屋根勾配に沿って斜め下方に延設する桁下り部とを備え、屋根取付ユニットに設置される切妻屋根部の屋根構造であって、前記屋根取付ユニットの天端部には、横方向に延設して前記屋根上部の下方に配置される上部支持部材が設けられており、該上部支持部材に支持させて、二等辺三角形状の上部妻小壁と棟木と母屋とを含む上部骨組体を前記屋根上部に設置し、前記桁下り部の下端部が載置される下端桁部材と、前記上部骨組体とに支持させて、屋根面を形成する屋根パネルが、前記屋根上部と桁下り部とに跨ってくの字形状に設けられる切妻屋根部の屋根構造を提供することにより、上記目的を達成したものである（請求項１記載の発明）。
【００１０】
また、本発明の切妻屋根部の屋根構造は、前記屋根取付ユニットが塔屋ユニットであることが好ましい（請求項２記載の発明）。
【００１１】
ここで、上記記載において、屋根上部と桁下り部とに跨ってくの字形状に設けられることにより屋根面を形成する屋根パネルは、切妻屋根の屋根頂部から両側に延設する各傾斜面において、各々分断されることなく連続して設けられている必要があり、これによって、桁下り部が屋根上部の下端部から延設している傾斜面においては、屋根パネルは、屋根上部と桁下り部との接合部分を跨るようにして連続して設置されることになる。また、屋根頂部で折れ曲がってくの字形状に設けられる屋根パネルは、当該屋根頂部で予め接合一体化したものを、両側の傾斜面に沿って一度に設置するものである必要は必ずしもなく、各傾斜面に取り付けられる別々の屋根パネルを、施工現場において屋根頂部で接合一体化して、くの字形状に設置することもできる。
【００１２】
【発明の実施の形態】
本発明の好ましい実施形態を添付図面を参照しつつ詳細に説明する。図１に示す本発明の一実施形態に係る切妻屋根部の屋根構造１０は、例えば図２に示す住宅建築物１１の屋上部分に当該屋上部分へ出入りするための階段室としての塔屋（ペントハウス）１２を設置する際に、これの屋根部分である切妻屋根部２０を効率良く設置するための屋根構造として採用されたものである。また、本実施形態によれば、住宅建築物１１は、例えば枠組壁構法（ツーバイフォー構法）による木造２階建てのユニット住宅であって、工場等において予め形成した複数の住宅ユニットを、建築施工現場まで搬送して組み立てることにより、迅速かつ精度良く構築されるものである。
【００１３】
そして、本実施形態の切妻屋根部の屋根構造１０は、図１に示すように、断面が二等辺三角形状の屋根上部１３と、この屋根上部１３の一方の下端部から屋根勾配に沿って斜め下方に延設する桁下り部１４とを備えており、塔屋１２の本体部分を構成する屋根取付ユニットとしての塔屋ユニット１５の上部に設置されるものである。また本実施形態の屋根構造１０は、塔屋ユニット１５の天端部には、横方向に延設して屋根上部１３の下方に配置される上部支持部材１６が設けられており、この上部支持部材１６に支持させて、二等辺三角形状の上部妻小壁１７と棟木２８と母屋梁３０とを含む上部骨組体４０を屋根上部１３に設置し、桁下り部１４の下端部が載置される下端桁部材１８と、棟木２８や母屋梁３０が組み込まれた上部骨組体４０とに支持させて、屋根面を形成する屋根パネル１９を、当該屋根上部１３と桁下り部１４とに跨ってくの字形状に設けることによって形成されている。
【００１４】
本実施形態によれば、屋根上部１３は、切妻屋根部２０の頂部２１を頂点とする断面が二等辺三角形状の部分であって、図１において短い長さで延設する右側傾斜部２２と、長い長さで延設する左側傾斜部２３における右側傾斜部２２と略同じ長さの上方部分２３ａとによって構成され、切妻屋根部２０の上部に配置される屋根領域である。また桁下り部１４は、左側傾斜部２３における上方部分２３ａの下端から下方に連続する部分であって、塔屋１２の軒先２４に至るまで、屋根勾配に沿って斜め下方に延設する屋根領域である。なお、本実施形態によれば、屋根上部１３と桁下り部１４とからなる切妻屋根部２０は、図１において前後に例えば１００〜２５０ｃｍ程度の奥行き（幅）で、塔屋ユニット１５の上部を覆って設けられている。
【００１５】
屋根取付ユニットとしての塔屋ユニット１５は、図３にも示すように、例えば枠組壁構法（ツーバイフォー構法）による住宅ユニットとして予め工場等において形成されるものであって、トラック等に積み込んで建築施工現場まで容易に搬送できる大きさとして、例えば図３の側面図において縦（高さ）１５０〜２８０ｃｍ、横１００〜４００ｃｍ、奥行き（幅）１００〜２５０ｃｍ程度の大きさの中空箱形形状に組み立てられている。
【００１６】
本実施形態によれば、塔屋ユニット１５は、塔屋１２の底部に配置される、階段用の開口部等が設けられた床パネル２５と、塔屋１２の四方を囲んで配置される、下枠、縦枠、上枠、壁下地用面材等からなる壁パネル２６とによって構成されている。また、図３において前後に配置される一対の壁パネル２６は、屋根勾配に沿って傾斜する上辺の上端部が水平に切り欠かれており、この水平な切欠き部において塔屋ユニット１５の天端部に配置される上枠は、屋根上部１３の下方に設けられて横方向に延設する上部支持部材１６となっている。さらに、図３において左側に配置される一対の壁パネル２６の上端には、例えば上枠に支持させて、軒桁や垂木受けが下端桁部材１８として設けられている。
【００１７】
そして、塔屋ユニット１５は、トラック等に積み込んで工場等から建築施工現場まで搬送され、吊上げ用の重機を介して吊り上げられて、２階の居室部を構成する居室ユニット２７（図２参照）の上方に据え付けられ、住宅建築物１１の屋上部分に設置されることになる。
【００１８】
塔屋ユニット１５の上部支持部材１６に支持される上部骨組体４０を構成する上部妻小壁１７は、強固な二等辺三角形状となるように下辺枠１７ａ、斜辺枠１７ｂ、棟木受材１７ｃ、及び縦束１７ｄを組み付けて形成されている。また本実施形態によれば、上部妻小壁１７は、図３において前後に配置される一対の壁パネル２６の上方に各々配置される一対の上部妻小壁１７を、上端が両側に傾斜する屋根勾配に沿った傾斜面となっている断面５角形状の棟木２８や、塔屋１２を前後に横断するその他の連結部材を介して、上部小屋組ユニット２９として立体形状に連結した状態で設置されている。すなわち、本実施形態によれば、棟木２８等を介して立体形状に一体化した上部小屋組ユニット２９を、塔屋１２を図３の前後に横断しつつ一対の壁パネル２６に跨って上部支持部材１６の上方に配設された、上部骨組体４０の一部を構成する母屋梁３０及び載置台３１の上に載置することによって、上部骨組体４０は、一対の上部妻小壁１７の間に棟木２８及び母屋梁３０が架け渡された状態で、且つ各上部妻小壁１７が各壁パネル２６に沿った面に各々配置された状態で、上部支持部材１６に支持させて設置されることになる。
【００１９】
なお、本実施形態によれば、上部妻小壁１７の下辺枠１７ａは、母屋梁３０の両端の矩形断面部分の上面と載置台３１の上面とに亘って載置されることにより（図４参照）、上部妻小壁１７が安定した状態で上部支持部材１６の上方に設置されることになる。また母屋梁３０の両端を除く部分に設けられた上方傾斜断面部分３２の傾斜面と、斜辺枠１７ｂの上面の傾斜面とは、横方向に連続する屋根勾配に沿った傾斜面となる。
【００２０】
桁下り部１４の下端部が載置される下端桁部材１８は、図３において左側に配置される壁パネル２６の上端に設けられる軒桁や垂木受けであって、上面が屋根勾配に沿った傾斜面となった台形断面形状を有していると共に、塔屋１２を図３の前後に横断しつつ壁パネル２６の上枠に載置されて設けられている。
【００２１】
下端桁部材１８と、上部骨組体４０に組み込まれた棟木２８及び母屋梁３０とに支持させて、屋根上部１３と桁下り部１４とに跨ってくの字形状に設けられる屋根パネル１９は（図１参照）、図３にも示すように、切妻屋根部２０の屋根面の傾斜方向に沿って複数平行に配置される屋根垂木としての縦枠部材３３と、縦枠部材３３と垂直な横方向に複数平行に配置される横枠部材３４と、縦枠部材３３と横枠部材３４とによって形成される格子状の枠組の上面を覆って取り付けられる屋根下地用面材３５とによって構成される。屋根パネル１９は、工場等おいて予め製作されて建築施工現場に搬入されるものであり、切妻屋根部２０の右側傾斜部２２に取り付けられる短尺屋根パネル１９ａと、左側傾斜部２３に取り付けられる長尺屋根パネル１９ｂとからなり、上部骨組体４０に支持させることによって短尺屋根パネル１９ａが、上部骨組体４０及び下端桁部材１８に支持させることによって長尺屋根パネル１９ｂが、くの字形状に接合一体化された状態で各々設置されることになる。
【００２２】
なお、屋根パネル１９は、短尺屋根パネル１９ａと長尺屋根パネル１９ｂとを予め工場等においてくの字形状に接合一体化させた状態で形成し、これを建築施工現場に搬入して一度に吊上げて設置することにより切妻屋根部２０を形成することができる他、短尺屋根パネル１９ａと長尺屋根パネル１９ｂと別々に形成して建築施工現場に搬入し、切妻屋根部２０の頂部２１においてこれらをくの字形状に接合一体化して設置することもできる。
【００２３】
また、屋根パネル１９ａ，１９ｂの縦枠部材３３は、切妻屋根部２０の頂部２１から両側に延設する各傾斜面において、各々分断されることなく連続する部材として設けられている。これによって、桁下り部１４が屋根上部１３の下端から延設している長さの長い左側傾斜部２３において、長尺屋根パネル１９ｂは、屋根上部１３と桁下り部１４との接合部分を跨るようにして連続して設置されることになり、屋根上部１３と桁下り部１４とを強固に一体化することが可能になる。
【００２４】
そして、本実施形態の切妻屋根部２０の屋根構造１０によれば、切妻屋根を有する小規模な構造体である塔屋１２を、搬送時の高さ制限を回避できるようにユニット化しつつ、切妻屋根部２０をパターン化して効率良く組立てて行くことが可能になる。すなわち、本実施形態によれば、塔屋１２を、これの本体部分である屋根取付ユニットとしての塔屋ユニット１５と、上部妻小壁１７と棟木２８と母屋梁３０とを含む上部骨組体４０と、屋根上部１３及び桁下り部１４に跨ってくの字形状に設けられる屋根パネル１９とに分割して形成することにより、塔屋ユニット１５の屋根上部を省略して、塔屋ユニット１５が搬送時の高さ制限を越えて形成されるのを容易に回避することが可能になる。
【００２５】
また、上部骨組体４０（上部小屋組ユニット２９、棟木２８、母屋梁３０、載置台３１）や屋根パネル１９もまた、工場等において予め形成した後にトラック等を介して容易に建築施工現場に搬入することができると共に、切妻屋根は、その上部に断面が二等辺三角形状の部分を必ず備えていることから、当該二等辺三角形状の屋根上部を基準として、例えば当該屋根上部を上部妻小壁を用いて規格化し、且つ桁下り部１４を例えば長さ等の異なる数種類のモジュールとして規格化することにより、切妻屋根部２０のパターン化を容易に図ることが可能になり、これによって、切妻屋根を有する小規模な構造体である塔屋１２を、効率良く組立てて行くことが可能になる。
【００２６】
なお、本発明は上記実施形態に限定されることなく種々の変更が可能である。例えば、本発明の切妻屋根部の屋根構造は、屋根上部の一方の下端部から桁下り部が斜め下方に延設している場合に限定されるものではなく、屋根上部の両方の下端部から桁下り部が斜め下方に延設している切妻屋根部に採用することもできる。また、本発明の切妻屋根部の屋根構造は、塔屋に限定されることなく、切妻屋根を有するその他の種々の小規模な構造体に採用することもできる。さらに、上部小屋組ユニットは、母屋や載置台を予め組み込んだユニットとして形成しても良い。
【００２７】
【発明の効果】
本発明の切妻屋根部の屋根構造によれば、切妻屋根を有する小規模な構造体を搬送時の高さ制限を回避できるようにユニット化しつつ、屋根部分をパターン化して効率良く組立てて行くことができる。
【図面の簡単な説明】
【図１】本発明の一実施形態に係る切妻屋根部の屋根構造を示す側面図ある。
【図２】本発明の一実施形態に係る屋根構造を採用した塔屋が設置される住宅を例示する略示側面図である。
【図３】本発明の一実施形態に係る切妻屋根部の屋根構造を示す分解側面図ある。
【図４】上部小屋組ユニットの設置状況を説明する部分拡大側面図である。
【符号の説明】
１０  切妻屋根部の屋根構造
１１  住宅建築物
１２  塔屋
１３  二等辺三角形状の屋根上部
１４  桁下り部
１５  塔屋ユニット（屋根取付ユニット）
１６  上部支持部材
１７  上部妻小壁
１８  下端桁部材
１９  屋根パネル
１９ａ  短尺屋根パネル
１９ｂ  長尺屋根パネル
２０  切妻屋根部
２１  頂部
２２  右側傾斜部
２３  左側傾斜部
２６  壁パネル
２８  棟木
２９  上部小屋組ユニット
３０  母屋梁（母屋）
３１  載置台
３３  縦枠部材
３４  横枠部材
３５  屋根下地用面材
４０  上部骨組体
【図１】
2004257116.tif 000003
【図２】
2004257116.tif 000004
【図３】
2004257116.tif 000005
【図４】
2004257116.tif 000006